(57)【特許請求の範囲】
【請求項１】
互いに組み合わされる一対の本体部を備え、一対の本体部のそれぞれは、相手方向に向かって突出した突出部と、互いに組み合わせ可能な組合部とを有し、一対の組合部のそれぞれは、相手方向に向かう方向に対して交差する方向に傾斜する第１傾斜部と、第１傾斜部に連結されて、相手方向に向かう方向に、第１傾斜部から折り返して傾斜する第２傾斜部とを有し、一対の本体部のそれぞれの突出部は、該一対の本体部を組み合わせる方向に対して交差する方向で互いに重なり合ってシート状部材を挟み込むように構成され、一対の本体部のそれぞれの組合部は、一対の本体部が組み合わされる方向に交差する方向で互いに組み合わされてシート状部材を挟み込むように構成されていることを特徴とするフレーム金具。
【請求項２】
互いに組み合わされる一対の本体部を備え、一対の本体部のそれぞれは、相手方向に向かって突出した突出部と、該突出部と同方向に突出する突合せ部とを有し、一対の本体部のそれぞれの突出部は、該一対の本体部を組み合わせる方向に対して交差する方向で互いに重なり合ってシート状部材を挟み込むように構成され、一対の本体部のそれぞれの突合せ部は、一対の本体部を組み合わせた状態で、互いの先端を突き合わせてシート状部材を挟むように構成される特徴とするフレーム金具。
【請求項３】
互いに組み合わされる一対の本体部を備え、一対の本体部のそれぞれは、相手方向に向かって突出した突出部を有し、一対の本体部のそれぞれの突出部は、該一対の本体部を組み合わせる方向に対して交差する方向で互いに重なり合ってシート状部材を挟み込むように構成され、一対の本体部の一端同士が該一対の本体部の組み合わせられる方向及び一対の突出部が重なる方向に直交する方向に延びる軸線回りで相対回転可能に枢結されていることを特徴とするフレーム金具。
【請求項４】
一対の本体部の枢結位置は、一対の本体部のうちの何れか一方寄りに偏位した位置に設けられることを特徴とする請求項３に記載のフレーム金具。
【請求項５】
一対の本体部のそれぞれの突出部は、互いに組み合わせ可能な組合部を有することを特徴とする請求項２乃至４のいずれか一項に記載のフレーム金具。
【請求項６】
請求項１乃至５のいずれか一項のフレーム金具を複数備え、該複数のフレーム金具が取り付けの対象となるシート状部材の外周形状に即して環状に連結されていることを特徴とするフレーム。
【請求項７】
不燃性を有するシート状部材と、請求項１乃至５のいずれか一項のフレーム金具を複数備えたフレームであって、複数のフレーム金具が取り付けの対象となるシート状部材の外周形状に即して環状に連結されて構成されたフレームとを有し、シート状部材外周縁部がフレームに固定されていることを特徴とする防煙垂壁。
【発明の詳細な説明】
【技術分野】
【０００１】
本発明は、フレーム金具、フレーム、及び防煙垂壁に関し、特に、シート状部材を張設するためのフレーム金具、フレーム、及び防煙垂壁に関する。
【背景技術】
【０００２】
網戸やビニル温室等の構造体は、枠状のフレームと、フレームに取り囲まれた領域（以下、包囲領域という）に張設されたシート状部材とを備える。この種の構造体において、シート状部材の端部（外周端部）がフレームに固定される。すなわち、シート状部材の端部が接着剤でフレームに貼り付けられたり、フレームに形成された溝と、該溝に嵌合される長尺な押え部材とによってシート部材の端部を挟み込んだりすることで、シート状部材の端部がフレームに固定される（例えば、特許文献１）。
【先行技術文献】
【特許文献】
【０００３】
【特許文献１】特開２００９−１８９２６４号公報
【発明の概要】
【発明が解決しようとする課題】
【０００４】
ところで、シート状部材を包囲領域内に体裁良く張設するには、シート状部材に対して均等な張力を作用させる必要がある。すなわち、フレームに対してシート状部材を固定するに当り、シート状部材を均等に引っ張る必要がある。
【０００５】
しかしながら、上記の固定方法では、シート状部材に均等な張力を作用させつつフレームに固定することが困難である。すなわち、フレームにシート状部材を貼り付ける場合、接着剤の硬化時間の影響によって、シート状部材がフレームに固定されるまでに時間を要するため、シート状部材が緊張状態を保つことができなくなってしまうことがある。また、フレームの溝に押え部材を嵌合してシート状部材を固定する場合、長尺な押え部材を溝に順々に嵌合する必要があるため、このような作業を行いつつシート状部材に対して均等な張力を作用させることが困難である。特に、シート状部材が長尺になるほど、シート部材に対して均等な張力を作用させつつ固定することが困難になる。
【０００６】
例えば、これまで、大型店舗等の大型建築物に設置される防炎垂壁は、ガラス製であったが、地震発生時に割れて落下する危険性があることから、不燃性のシート状部材に代えられつつある。この場合、シート状部材は、建築物の天井に沿って配置されるため、非常に長尺なものになる。そのため、シート状部材が防炎垂壁として採用される場合、張力を作用させつつ施工することは困難であり、手間のかかる作業を要する。
【０００７】
そこで、本発明は、斯かる事情に鑑み、簡単な作業で、シート状部材に均等な張力を作用させることのできるフレーム金具、フレーム、及び防煙垂壁を提供することを課題とする。
【課題を解決するための手段】
【０００８】
本発明に係るフレーム金具は、互いに組み合わされる一対の本体部を備え、一対の本体部のそれぞれは、相手方向に向かって突出した突出部と、互いに組み合わせ可能な組合部とを有し、一対の組合部のそれぞれは、相手方向に向かう方向に対して交差する方向に傾斜する第１傾斜部と、第１傾斜部に連結されて、相手方向に向かう方向に、第１傾斜部から折り返して傾斜する第２傾斜部とを有し、一対の本体部のそれぞれの突出部は、該一対の本体部を組み合わせる方向に対して交差する方向で互いに重なり合ってシート状部材を挟み込むように構成され、一対の本体部のそれぞれの組合部は、一対の本体部が組み合わされる方向に交差する方向で互いに組み合わされてシート状部材を挟み込むように構成されていることを特徴とする。
【０００９】
本発明に係るフレーム金具によれば、一対の本体部が組み合わされるときに、一対の本体部のそれぞれの突出部は、重なり合ってシート状部材を挟みこむ。このとき、突出部同士が重なり合う分の長さだけ、シート状部材が引っ張られる。従って、一対の本体部が組み合わされることで、シート状部材に張力を作用させることができる。また、一対の本体部のそれぞれの突出部（組合部）は、一対の本体部の組み合わせに併せて互いに組み合わされる。このように、一対の本体部のそれぞれの突出部（組合部）が互いに組み合わされると、その組み合わされた部分でシート状部材を引っ張ることができ、シート状部材に張力を作用させることができる。そして、突出部全体が直線状に形成される場合に比べて、突出部（組合部）同士が重なる長さが長くなる。従って、一対の本体部のそれぞれの突出部に挟まれるシート状部材の長さを長くすることができ、シート状部材に作用する張力をより強くすることができる。
【００１４】
また、本発明に係るフレーム金具によれば、互いに組み合わされる一対の本体部を備え、一対の本体部のそれぞれは、相手方向に向かって突出した突出部と、該突出部と同方向に突出する突合せ部とを有し、一対の本体部のそれぞれの突出部は、該一対の本体部を組み合わせる方向に対して交差する方向で互いに重なり合ってシート状部材を挟み込むように構成され、一対の本体部のそれぞれの突合せ部は、一対の本体部を組み合わせた状態で、互いの先端を突き合わせてシート状部材を挟むように構成されることを特徴とする。
【００１５】
かかる構成によれば、一対の本体部が組み合わされるときに、一対の本体部のそれぞれの突出部は、重なり合ってシート状部材を挟みこむ。このとき、突出部同士が重なり合う分の長さだけ、シート状部材が引っ張られる。従って、一対の本体部が組み合わされることで、シート状部材に張力を作用させることができる。また、一対の本体部のそれぞれの突合せ部は、一対の本体部を組み合わせた状態で、互いの先端を突き合わせてシート状部材を挟むため、突出部に挟み込まれたシート状部材の位置が規制される。すなわち、一対の本体部のそれぞれの突合せ部は、組み合わされた一対の本体部から引き出されるシート状部材の引出し位置を決定する。従って、シート状部材を規定位置から引き出した状態にでき、シート状部材を体裁の良い状態で張設することが可能となる。
【００１６】
また、本発明に係るフレーム金具によれば、互いに組み合わされる一対の本体部を備え、一対の本体部のそれぞれは、相手方向に向かって突出した突出部を有し、一対の本体部のそれぞれの突出部は、該一対の本体部を組み合わせる方向に対して交差する方向で互いに重なり合ってシート状部材を挟み込むように構成され、一対の本体部の一端同士が該一対の本体部の組み合わせられる方向及び一対の突出部が重なる方向に直交する方向に延びる軸線回りで相対回転可能に枢結されていることを特徴とする。
【００１７】
かかる構成によれば、一対の本体部が組み合わされるときに、一対の本体部のそれぞれの突出部は、重なり合ってシート状部材を挟みこむ。このとき、突出部同士が重なり合う分の長さだけ、シート状部材が引っ張られる。従って、一対の本体部が組み合わされることで、シート状部材に張力を作用させることができる。また、一対の本体部は、軸線回りで相対回転することで互いに接離し、組み合わされた状態と、組み合わせを解除した状態とに切り換え可能となる。そして、一対の本体部を組み合わせるとき、一対の本体部のそれぞれの突出部は、本体部の回転中心（軸線）を中心とする円弧状の軌跡を辿って移動（接近）する。その結果、一対の本体部のそれぞれの突出部は、互いに相手側から押し付ける力を受けた状態で重なり合う。これにより、突出部同士の密接性（圧接力）が大きくなる結果、シート状部材を強固に固定することができる。
【００１８】
この場合、一対の本体部の枢結位置は、一対の本体部のうちの何れか一方寄りに偏位した位置に設けられてもよい。
【００１９】
かかる構成によれば、一対の本体部のそれぞれの突出部の移動軌跡の関係で、一対の本体部が組み合わされる方向に対して交差する方向における突出部同士の重複量が多くなる。これにより、突出部同士の密接性（圧接力）が大きくなる結果、シート状部材を強固に固定することができる。
また、本発明に係るフレーム金具において、一対の本体部のそれぞれの突出部は、互いに組み合わせ可能な組合部を有してもよい。
かかる構成によれば、一対の本体部のそれぞれの突出部（組合部）は、一対の本体部の組み合わせに併せて互いに組み合わされる。このように、一対の本体部のそれぞれの突出部（組合部）が互いに組み合わされると、その組み合わされた部分でシート状部材を引っ張ることができ、シート状部材に張力を作用させることができる。
【００２０】
また、本発明に係るフレームは、上記何れかのフレーム金具を複数備え、該複数のフレーム金具が取り付けの対象となるシート状部材の外周形状に即して環状に連結されていることを特徴とする。
【００２１】
上記構成のフレームによれば、上記何れかのフレーム金具を備えているため、各フレーム金具において、一対の本体部が組み合わされるときに、一対の本体部のそれぞれの突出部は、重なり合ってシート状部材を挟みこむ。このとき、突出部同士が重なり合う分の長さだけ、シート状部材が引っ張られる。従って、一対の本体部が組み合わされることで、シート状部材に張力を作用させることができる。これにより、環状のフレームに取り囲まれた領域内でシート状部材が緊張状態で体裁良く張設される。
【００２２】
また、本発明に係る防煙垂壁は、不燃性を有するシート状部材と、上記何れかのフレーム金具を複数備えたフレームであって、複数のフレーム金具が取り付けの対象となるシート状部材の外周形状に即して環状に連結されて構成されたフレームとを有し、シート状部材外周縁部がフレームに固定されていることを特徴とする。
【００２３】
かかる構成によれば、フレームが上記何れかのフレーム金具を備えているため、各フレーム金具において、一対の本体部が組み合わされるときに、一対の本体部のそれぞれの突出部は、重なり合ってシート状部材を挟みこむ。このとき、突出部同士が重なり合う分の長さだけ、シート状部材が引っ張られる。従って、一対の本体部が組み合わされることで、シート状部材に張力を作用させることができる。これにより、環状のフレームに取り囲まれた領域内でシート状部材が緊張状態で体裁良く張設される。従って、審美性の高い防煙垂壁を得ることができる。
【発明の効果】
【００２４】
以上の如く、本発明によれば、簡単な作業で、シート状部材に均等な張力を作用させることができるといった優れた効果を奏し得る。
【図面の簡単な説明】
【００２５】
【図１】本発明の一実施形態に係るフレーム金具を利用した防煙垂壁の斜視図を示す。
【図２】同実施形態に係るフレーム金具の断面図を示す。
【図３】他実施形態に係る組合部を示す。
【図４】他実施形態に係る組合部を示す。
【図５】他実施形態に係る組合部を示す。
【図６】他実施形態に係る組合部を示す。
【図７】他実施形態に係る組合部を示す。
【図８】他実施形態に係る接続部を示す。
【図９】他実施形態に係る接続部を示す。
【図１０】他実施形態に係る接続部を示す。
【図１１】他実施形態に係る接続部を示す。
【図１２】他実施形態に係る接続部を示す。
【図１３】他実施形態に係る接続部を示す。
【発明を実施するための形態】
【００２６】
以下、本発明に係る第１の実施形態について、図面を参照して説明する。
【００２７】
本実施形態に係る防煙垂壁は、大型店舗等の大型建築物に設置され、天井から垂設される。防煙垂壁は、図１に示すように、不燃性を有するシート状部材２と、フレーム金具３を複数備えたフレーム４であって、複数のフレーム金具３が取り付けの対象となるシート状部材２の外周形状に即して環状に連結されて構成されたフレーム４とを有し、シート状部材２外周縁部がフレーム４に固定されている。シート状部材２は、例えば、ポリ塩化ビニルを用いて作製され、長方形状に形成される。
【００２８】
フレーム４は、フレーム金具３を複数備え、該複数のフレーム金具３が取り付けの対象となるシート状部材２の外周形状に即して環状に連結されている。本実施形態において、フレーム４は、図１に示すように、４つのフレーム金具３ａ，３ｂ，３ｃ，３ｄで構成される。４つのフレーム金具３ａ,３ｂ,３ｃ,３ｄは、長方形状のシート状部材２の外周形状に即して枠状に連結される。
【００２９】
フレーム金具３は、例えば、樹脂や金属等の剛性のある材料で形成される。フレーム金具３は、長尺状に形成される。フレーム金具３は、図２に示すように、互いに組み合わされる一対の本体部３０を備える。
【００３０】
一対の本体部３０，３０のそれぞれは、帯板状に形成される基部３１０ａ，３１０ｂを有する。また、一対の本体部３０，３０のそれぞれは、相手方向に向かって突出した突出部３１１ａ，３１１ｂを有する。また、一対の本体部３０，３０のそれぞれは、突出部３１１ａ，３１１ｂと同方向に突出する突合せ部３１５ａ，３１５ｂをさらに有する。また、一対の本体部３０，３０は、一対の本体部３０，３０の一端同士が該一対の本体部３０，３０の組み合わせられる方向及び一対の突出部３１１ａ，３１１ｂが重なる方向に伸びる軸線回りで相対回転可能に枢結される。すなわち、フレーム金具３は、一対の本体部３０，３０同士を枢結した枢結部３１６を有する。
【００３１】
一対の基部３１０ａ，３１０ｂのそれぞれは、一方の面と他方の面とを有し、基部３１０ａ，３１０ｂのそれぞれの他方の面は、フレーム金具３の外周面の一面を形成する。そして、一対の基部３１０ａ，３１０ｂは、一対の本体部３０を互いに組み合わせた状態で、基部３１０ａ及び基部３１０ｂの一方の面同士を対向して配置される。
【００３２】
一対の突出部３１１ａ，３１１ｂのそれぞれは、一対の本体部３０，３０を互いに組み合わせる方向で、基部３１０ａ，３１０ｂの一方の面から突出して設けられる。突出部３１１ａは、一対の本体部３０，３０を互いに組み合わせる方向で、一方の基部３１０ａの一方の面から、他方の基部３１０ｂの一方の面に向けて突出する。より具体的に、突出部３１１ａは、一方の基部３１０ａの一方の面の幅方向中間位置から他方の基部３１０ｂの一方の面に向けて突出する。
【００３３】
突出部３１１ｂは、一対の本体部３０，３０を互いに組み合わせる方向で、他方の基部３１０ｂの一方の面から、一方の基部３１０ａの一方の面に向けて突出する。より具体的に、突出部３１１ｂは、他方の基部３１０ｂの一方の面の幅方向中間位置から他方の基部３１０ａの一方の面に向けて突出する。
【００３４】
一対の本体部３０，３０のそれぞれの突出部３１１ａ，３１１ｂは、一対の本体部３０，３０を組み合わせる方向に対して交差する方向で互いに重なり合ってシート状部材２を挟み込むように構成される。したがって、一対の本体部３０，３０のそれぞれの突出部３１１ａ，３１１ｂは、一対の本体部３０，３０を互いに組み合わせた状態で、一対の本体部３０，３０を互いに組み合わせる方向に対して交差する方向に板厚分ずれた位置に設けられる。また、一対の本体部３０，３０のそれぞれの突出部３１１ａ，３１１ｂは、一対の本体部３０，３０を互いに組み合わせた状態で、一方の基部３１０ａの一方の面から他方の基部３１０ｂの一方の面までの距離の半分よりも突出する長さで構成される。
【００３５】
一対の本体部３０，３０のそれぞれの突出部３１１ａ，３１１ｂは、互いに組み合わせ可能な組合部３１２ａ，３１２ｂを有する。すなわち、組合部３１２ａ，３１２ｂは、一対の突出部３１１ａに設けられる一方の組合部３１２ａと，他方の突出部３１１ｂに設けられる他方の組合部３１２ｂとで一対に設けられる。組合部３１２ａは、突出部３１１ａの先端に設けられ、組合部３１２ｂは、突出部３１１ｂの先端に設けられる。組合部３１２ａ，３１２ｂは、一対の本体部３０，３０が互いに組み合わされた状態で、噛み合うように構成される。一対の本体部３０のそれぞれの組合部３１２ａ，３１２ｂは、一対の本体部３０が組み合わされる方向に交差する方向で互いに組み合わされてシート状部材２を挟み込むように構成される。一対の組合部３１２ａ，３１２ｂのそれぞれは、相手方向に向かう方向に対して交差する方向に傾斜する第１傾斜部３１３ａ，３１３ｂと、第１傾斜部３１３ａ，３１３ｂに連結されて、相手方向に向かう方向に、第１傾斜部３１３ａ，３１３ｂから折り返して傾斜する第２傾斜部３１４ａ，３１４ｂとを有する。
【００３６】
第１傾斜部３１３ａ，３１３ｂのそれぞれは、突出部３１１ａ，３１３ｂの中途部分から屈曲して形成される。本実施形態において、第１傾斜部３１３ａ，３１３ｂは、一対の本体部３０，３０を互いに組み合わせた状態で、一方の基部３１０ａの一方の面と他方の基部３１０ｂの一方の面との中間点まで伸びて形成される。
【００３７】
第２傾斜部３１４ａ，３１４ｂのそれぞれは、第１傾斜部３１３ａ、３１３ｂに連結されることで、一方の基部３１０ａの一方の面と他方の基部３１０ｂの一方の面との中間点から突出する部分として構成される。本実施形態において、第２傾斜部３１４ａ，３１４ｂは、突出部３１１ａ，３１１ｂの突出方向の延長線上に交差する位置まで伸びて形成される。
【００３８】
一方の組合部３１２ａが有する第１傾斜部３１３ａは、一対の本体部３０，３０を互いに組み合わせた状態で、他方の組合部３１２ｂが有する第２傾斜部３１４ｂに当接する。また、一方の組合部３１２ａが有する第２傾斜部３１４ａは、一対の本体部３０，３０を互いに組み合わせた状態で、他方の組合部３１２ｂが有する第１傾斜部３１３ｂに当接する。
【００３９】
突合せ部３１５ａは、一対の本体部３０，３０を互いに組み合わせる方向で、一方の基部３１０ａの一方の面から、他方の基部３１０ｂの一方の面に向けて突出する。より具体的に、本実施形態において、突合せ部３１５ａは、一方の基部３１０ａの一方の面の幅方向他端から、他方の基部３１０ｂの一方の面に向けて突出する。また、突合せ部３１５ａは、一方の基部３１０ａの一方の面の長手方向一端から他端にかけて突出して設けられる。
【００４０】
突合せ部３１５ｂは、一対の本体部３０，３０を互いに組み合わせる方向で、他方の基部３１０ｂの一方の面から、一方の基部３１０ａの一方の面に向けて突出する。より具体的に、本実施形態において、突合せ部３１５ｂは、他方の基部３１０ｂの一方の面の幅方向他端から、一方の基部３１０ａの一方の面に向けて突出する。また、突合せ部３１５ｂは、他方の基部３１０ｂの一方の面の長手方向一端から他端にかけて突出して設けられる。
【００４１】
そして、一対の本体部３０，３０のそれぞれの突合せ部３１５ａ，３１５ｂは、一対の本体部３０，３０を組み合わせた状態で、互いの先端を突き合わせてシート状部材２を挟むように構成される。したがって、突合せ部３１５ａ，３１５ｂのそれぞれは、一対の本体部３０，３０を互いに組み合わせた状態で、一方の基部３１０ａの一方の面と他方の基部３１０ｂの一方の面との距離の半分の長さで突出して構成される。
【００４２】
枢結部３１６は、一対の本体部３０，３０のそれぞれに設けられる突片３１７ａ，３１７ｂと、一方の突片３１７ａの先端に設けられる嵌合部３１８と、他方の突片３１７ｂの先端に設けられる軸部３１９とを有する。
【００４３】
突片３１７ａ，３１７ｂは、一対の本体部３０,３０を互いに組み合わせる方向で、一方の本体部３０の基部３１０ａの一方の面から、他方の本体部３０の他方の基部３１０ｂの一方の面に向けて突出する。より具体的に、本実施形態において、突片３１７ａは、一方の基部３１０ａの一方の面の幅方向一端から他方の基部３１０ｂの一方の面に向けて突出する。突片３１７ａは、一方の基部３１０ａの一方の面の長手方向一端から他端にかけて突出して設けられる。
【００４４】
突片３１７ｂは、他方の基部３１０ｂの一方の面の幅方向一端から一方の基部３１０ａの一方の面に向けて突出する。また、突片３１７ｂは、他方の基部３１０ｂの一方の面の長手方向一端から他端にかけて突出して設けられる。
【００４５】
嵌合部３１８は、軸部３１９を嵌合可能に構成される。嵌合部３１８は、断面円弧形状で、一方の突片３１７ａの先端に沿って設けられる。
【００４６】
軸部３１９は、嵌合部３１８に嵌合可能に構成される。軸部３１９は、円柱状で、他方の突片３１７ｂの先端に沿って設けられる。
【００４７】
軸部３１９の嵌合部３１８への嵌合位置、すなわち、一対の本体部３０の枢結位置は、一対の本体部３０，３０のうちの何れか一方寄りに偏位した位置に設けられる。本実施形態において、一方の突片３１７ａは、他方の突片３１７ｂに対して長く構成される。これにより、軸部３１９の嵌合部３１８への嵌合位置、すなわち、一対の本体部３０，３０の枢結位置は、他方の基部３１０ｂ側の本体部３０に偏位した位置に設けられる。より好ましくは、突片３１７と突出部３１１との間の距離がより長い側の本体部３０寄りに偏位した位置に設けられるのが好ましい。本実施形態においては、突片３１７ｂと突出部３１１ｂとの間の距離が、突片３１７ａと突出部３１１ａとの間の距離よりも長いことから、一対の本体部３０のうち、他方の基部３１０ｂを有する本体部３０寄りに偏位した位置に設けられる。
【００４８】
本実施形態に係るフレーム金具３、フレーム４、及び防煙垂壁１の構成については以上の通りであり、次に、本実施形態に係るフレーム金具３、フレーム４、及び防煙垂壁１の作用について説明する。
【００４９】
図２に示すように、フレーム金具３をシート状部材２の一端に取り付けるべく、一対の本体部３０，３０は、軸部３１９及び嵌合部３１８を回転中心にした相対回転により、内部を解放した状態になる。具体的に、一対の本体部３０，３０のそれぞれは、軸部３１９及び嵌合部３１８の相対回転により、他端部を離間した状態、すなわち、突出部３１１ａ，３１１ｂのそれぞれ及び突合せ部３１５ａ，３１５ｂのそれぞれを離間した状態になる。これにより、一対の本体部３０，３０のそれぞれは、相手との間でシート状部材２を挟む込むことが可能な状態になる。
【００５０】
シート状部材２は、一対の本体部３０，３０のそれぞれの間、すなわち、突出部３１１ａ，３１１ｂのそれぞれの間と、突合せ部３１５ａ，３１５ｂのそれぞれの間とに挿入される。その後、一対の本体部３０，３０は、軸部３１９及び嵌合部３１８の相対回転により、組み合わされた状態になる。これにより、突出部３１１ａ，３１１ｂ（組合部３１２ａ，３１２ｂ），は、シート状部材２を挟み込んだ状態で噛み合うように組み合わされる。また、突合せ部３１５ａ，３１５ｂのそれぞれは、互いの先端を突き合わせてシート状部材２を挟み込む。
【００５１】
具体的に、一対の本体部３０が互いに組み合わされる動作を説明する。シート状部材２は、一対の本体部３０，３０の互いの組み合わせ方向に交差する位置に位置される。この状態で、一対の本体部３０，３０は、軸部３１９の軸心を中心として、互いに組み合わせる方向に相対的に回動されると、組合部３１２ａの第２傾斜部３１４ａの先端と、組合部３１２ｂの第２傾斜部３１４ｂとの先端とのそれぞれは、シート状部材２の表裏に当接する。また、組合部３１２ａ，３１２ｂのそれぞれが一方の基部３１０ａ及び他方の基部３１０ｂの長手方向に沿って設けられることから、組合部３１２ａ，３１２ｂのそれぞれは、一方の基部３１０ａ及び他方の基部３１０ｂの長手方向に沿う全体が同時に、シート状部材２の両面に当接する。
【００５２】
さらに一対の本体部３０，３０が相対的に回動すると、組合部３１２ａ，３１２ｂは、互いに衝突する。この時、突出部３１１ａ，３１１ｂの突出位置に起因して、組合部３１２ａ，３１２ｂは、シート状部材２を挟む。そして、組合部３１２ａの第２傾斜部３１４ａと，組合部３１２ｂの第２傾斜部３１４ｂとは、互いの間にシート状部材２を巻き込みながら（挟み込みながら）相対的に移動する。これにより、組合部３１２ａ，３１２ｂは、挟み込んだ長さ分の張力をシート状部材２に均等に作用させる。この時、組合部３１２ａの第２傾斜部３１４と、組合部３１２ｂの第２傾斜部３１４ｂとのそれぞれは、互いに押し合う力を作用させる。これにより、突出部３１１ａ，３１１ｂは、第２傾斜部３１４ａ，３１４ｂの形状に応じて、歪んだ状態で相対的に移動する。
【００５３】
さらに一対の本体部３０，３０が回動すると、組合部３１２ａ，３１２ｂそれぞれの第２傾斜部３１４ａ，３１４ｂは、組合部３１２ａ，３１２ｂそれぞれの第１傾斜部３１３ａ,３１３ｂに当接する。この時、突出部３１１ａ，３１１ｂは、第１傾斜部３１３ａ及び第２傾斜部３１４ｂの形状に基づく復元力により、歪んだ状態を元に戻すように変化することから、互いに押し合う力を作用させる。そして、組合部３１２ａ，３１２ｂのそれぞれの第１傾斜部３１３ａ，３１３ｂ及び第２傾斜部３１４ａ，３１４ｂは、互いの間にシート状部材２を巻き込みながら（挟み込みながら）相対的に移動する。
【００５４】
最終的に、組合部３１２ａ，３１２ｂそれぞれの第２傾斜部３１４ａ，３１４ｂと、組合部３１２ａ，３１２ｂそれぞれの第１傾斜部３１３ａ，３１３ｂとが当接すると、一対の本体部３０，３０は組み合わされる。これにより、組合部３１２ａ，３１２ｂは、十分な張力をシート状部材２に均等に作用させる。突合せ部３１５ａ，３１５ｂは、互いの先端を突き合わせた状態でシート状部材２を挟む。これにより、突合せ部３１５ａ，３１５ｂは、一対の本体部３０から引き出されるシート状部材２の引き出し位置を決定する。
【００５５】
一対の本体部３０が互いに組み合わされることで、組合部３１２ａ，３１２ｂは、一対の本体部３０を組み合わせた状態に固定する固定手段として機能する。これにより、組合部３１２ａ，３１２ｂは、シート状部材２を強固に固定する。
【００５６】
以上より、本実施形態に係るフレーム金具３は、互いに組み合わされる一対の本体部３０を備え、一対の本体部３０のそれぞれは、相手方向に向かって突出した突出部３１１を有し、一対の本体部３０のそれぞれの突出部３１１ａ，３１１ｂは、該一対の本体部３０を組み合わせる方向に対して交差する方向で互いに重なり合ってシート状部材２を挟み込むように構成されている。
【００５７】
本実施形態に係るフレーム金具３によれば、一対の本体部３０，３０が組み合わされるときに、一対の本体部３０，３０のそれぞれの突出部３１１ａ，３１１ｂは、重なり合ってシート状部材２を挟みこむ。このとき、突出部３１１，３１１ｂ同士が重なり合う分の長さだけ、シート状部材２が引っ張られる。従って、一対の本体部３０が組み合わされることで、シート状部材２に張力を作用させることができる。
【００５８】
また、本実施形態に係るフレーム金具３において、一対の本体部３０のそれぞれの突出部３１１ａ，３１１ｂは、互いに組み合わせ可能な組合部３１２ａ，３１２ｂを有する。
【００５９】
かかる構成によれば、一対の本体部３０，３０のそれぞれの突出部３１１ａ，３１１ｂは、一対の本体部３０，３０の組み合わせに併せて互いに組み合わされる。このように、一対の本体部３０，３０のそれぞれの突出部３１１ａ，３１１ｂが互いに組み合わされると、その組み合わされた部分でシート状部材２を引っ張ることができ、シート状部材２に張力を作用させることができる。
【００６０】
また、本実施形態に係るフレーム金具３において、一対の組合部３１２ａ，３１２ｂのそれぞれは、相手方向に向かう方向に対して交差する方向に傾斜する第１傾斜部３１３と、第１傾斜部３１３に連結されて、相手方向に向かう方向に、第１傾斜部３１３から折り返して傾斜する第２傾斜部３１４とを有し、一対の本体部３０のそれぞれの組合部３１３ａ，３１３ｂは、一対の本体部３０，３０が組み合わされる方向に交差する方向で互いに組み合わされてシート状部材２を挟み込むように構成される。
【００６１】
かかる構成によれば、突出部３１１ａ，３１１ｂ全体が直線状に形成される場合に比べて、突出部３１１ａ，３１１ｂ同士が重なる長さが長くなる。従って、一対の本体部３０のそれぞれの突出部３１１ａ，３１１ｂに挟まれるシート状部材２の長さを長くすることができ、シート状部材２に作用する張力をより強くすることができる。
【００６２】
また、本実施形態に係るフレーム金具３において、一対の本体部３０，３０のそれぞれは、突出部３１１と同方向に突出する突合せ部３１５をさらに有し、一対の本体部３０のそれぞれの突合せ部３１５ａ，３１５ｂは、一対の本体部３０，３０を組み合わせた状態で、互いの先端を突き合わせてシート状部材２を挟むように構成される。
【００６３】
かかる構成によれば、一対の本体部３０，３０のそれぞれの突合せ部３１５ａ，３１５ｂは、一対の本体部３０，３０を組み合わせた状態で、互いの先端を突き合わせてシート状部材２を挟むため、突出部３１１ａ，３１１ｂに挟み込まれたシート状部材２の位置が規制される。すなわち、一対の本体部３０のそれぞれの突合せ部３１５ａ，３１５ｂは、組み合わされた一対の本体部３０，３０から引き出されるシート状部材２の引出し位置を決定する。従って、シート状部材２を規定位置から引き出した状態にでき、シート状部材２を体裁の良い状態で張設することが可能となる。
【００６４】
また、本実施形態に係るフレーム金具３において、一対の本体部３０，３０の一端同士が該一対の本体部３０の組み合わせられる方向及び一対の突出部３１１が重なる方向に直交する方向に延びる軸線回りで相対回転可能に枢結される。
【００６５】
かかる構成によれば、一対の本体部３０，３０は、軸線回りで相対回転することで互いに接離し、組み合わされた状態と、組み合わせを解除した状態とに切り換え可能となる。そして、一対の本体部３０，３０を組み合わせるとき、一対の本体部３０、３０のそれぞれの突出部３１１ａ，３１１ｂは、本体部３０の回転中心（軸線）を中心とする円弧状の軌跡を辿って移動（接近）する。その結果、一対の本体部３０，３０のそれぞれの突出部３１１ａ，３１１ｂは、互いに相手側から押し付ける力を受けた状態で重なり合う。これにより、突出部３１１ａ，３１１ｂ同士の密接性（圧接力）が大きくなる結果、シート状部材２を強固に固定することができる。
【００６６】
また、本実施形態に係るフレーム金具３において、一対の本体部３０，３０の枢結位置は、一対の本体部３０，３０のうちの何れか一方寄りに偏位した位置に設けられる。
【００６７】
かかる構成によれば、一対の本体部３０，３０のそれぞれの突出部３１１ａ，３１１ｂの移動軌跡の関係で、一対の本体部３０，３０が組み合わされる方向に対して交差する方向における突出部３１１ａ，３１１ｂ同士の重複量が多くなる。これにより、突出部３１１ａ，３１１ｂ同士の密接性（圧接力）が大きくなる結果、シート状部材２を強固に固定することができる。
【００６８】
また、本実施形態に係るフレーム４は、上記何れかのフレーム金具３を複数備え、該複数のフレーム金具３が取り付けの対象となるシート状部材２の外周形状に即して環状に連結されている。
【００６９】
上記構成のフレーム４によれば、上記何れかのフレーム金具３を備えているため、各フレーム金具３において、一対の本体部３０，３０が組み合わされるときに、一対の本体部３０，３０のそれぞれの突出部３１１ａ，３１１ｂは、重なり合ってシート状部材２を挟みこむ。このとき、突出部３１１ａ，３１１ｂ同士が重なり合う分の長さだけ、シート状部材２が引っ張られる。従って、一対の本体部３０，３０が組み合わされることで、シート状部材２に張力を作用させることができる。これにより、環状のフレーム４に取り囲まれた領域内でシート状部材２が緊張状態で体裁良く張設される。
【００７０】
また、本実施形態に係る防煙垂壁１は、不燃性を有するシート状部材２と、上記何れかのフレーム金具３を複数備えたフレーム４であって、複数のフレーム金具３が取り付けの対象となるシート状部材２の外周形状に即して環状に連結されて構成されたフレーム４とを有し、シート状部材２外周縁部がフレーム４に固定されている。
【００７１】
かかる構成によれば、フレーム４が上記何れかのフレーム金具３を備えているため、各フレーム金具３において、一対の本体部３０，３０が組み合わされるときに、一対の本体部３０，３０のそれぞれの突出部３１１ａ，３１１ｂは、重なり合ってシート状部材２を挟みこむ。このとき、突出部３１１ａ，３１１ｂ同士が重なり合う分の長さだけ、シート状部材２が引っ張られる。従って、一対の本体部３０，３０が組み合わされることで、シート状部材２に張力を作用させることができる。これにより、環状のフレーム４に取り囲まれた領域内でシート状部材２が緊張状態で体裁良く張設される。従って、審美性の高い防煙垂壁１を得ることができる。
【００７２】
なお、本発明に係るフレーム金具３、フレーム４、及び防煙垂壁１は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００７３】
例えば、本実施形態に係るフレーム金具３及びフレーム４おいては、防煙垂壁１に用いられるフレーム金具３及びフレーム４を例として説明したが、網戸、パネル、遮音シート、ビニル温室等の剛性のないシート状部材２に取り付けられて用いられてもよい。
【００７４】
また、上記実施形態に係るフレーム金具３において、一対の本体部３０は、枢結部３１６を有さず、別体として構成されてもよい。また、一対の本体部３０は、枢結部３１６を有さず、直接接続されて折り曲げられる構成であってもよい。
【００７５】
また、上記実施形態に係るフレーム金具３において、一対の突出部３１１ａ，３１１ｂ、一対の突合せ部３１５ａ，３１５ｂ、及び枢結部３１６ａ，３１６ｂは、一方の基部３１０ａ及び他方の基部３１０ｂの長手方向一端から他端まで伸びて形成されることとした。一方で、一対の突出部３１１ａ，３１１ｂ、一対の突合せ部３１５ａ，３１５ｂ、及び枢結部３１６は、一方の基部３１０ａ及び他方の基部３１０ｂの長手方向一端から他端まで、間歇的に設けられてもよい。
【００７６】
また、上記実施形態に係るフレーム金具３において、一対の組合部３１２ａ，３１２ｂは、第１傾斜部３１３ａ，３１３ｂ及び第２傾斜部３１４ａ，３１４ｂをそれぞれ有するものとした。一方で、図３に示すように、一対の組合部３１２ａ，３１２ｂの一方が、断面円弧形状で、他方が、断面円形状であって、互いに嵌合することで組み合わされてもよい。
【００７７】
また、上記実施形態に係るフレーム金具３において、図４に示すように、一対の組合部３１２ａ，３１２ｂの一方は、一対の本体部３０を互いに組み合わせる方向に対して交差する方向で分岐する構造であってよい。このとき、一対の組合部３１２ａ，３１２ｂの他方は、一方の分岐する構造に合わせて、一対の本体部３０，３０を互いに組み合わせる方向に対して交差する方向で伸びる屋根を有する構造であってもよい。
【００７８】
また、上記実施形態に係るフレーム金具３において、図５に示すように、一対の組合部３１２ａ，３１２ｂの一方は、一方の突出部３１１ａの突出方向及び一対の本体部３０，３０を互いに組み合わせる方向に対して交差する方向に分岐する構造であってよい。このとき、他方は、一方の分岐する構造に合わせて、一対の本体部３０を互いに組み合わせる方向に対して交差する方向で伸びる屋根を有する構造であってもよい。
【００７９】
また、上記実施形態に係るフレーム金具３において、図６に示すように、一対の組合部３１２ａ，３１２ｂの一方は、単に、一方の基部３１０ａから他方の基部３１０ｂに向けて突出する構造であってよい。このとき、他方は、他方の基部３１０ｂから一方の基部３１０ａに向けて突出する構造であってよい。
【００８０】
また、上記実施形態に係るフレーム金具３において、図７に示すように、一対の本体部３０，３０のそれぞれは、突出部３１１ａ，３１１ｂを、基部３１０ａ，３１０ｂの幅方向に複数設ける構造であってもよい。
【００８１】
また、上記実施形態に係るフレーム金具３において、一対の本体部３０，３０の枢結位置は、一対の本体部３０,３０のうちの何れか一方寄りに偏位した位置に設けられるとした。一方で、図８乃至図１３に示すように、一対の本体部３０,３０の枢結位置は、互いに組み合わされた一対の本体部３０,３０の組み合わせ方向中心線上に設けられてもよい。これにより、一対の突出部３１１ａ，３１１ｂの重複量が少なくなるので、一対の本体部３０,３０を組み合わせやすくすることができる。
【００８２】
また、上記実施形態に係るフレーム金具３において、一対の突合せ部３１５ａ，３１５ｂは、シート状部材２の引き出し位置を決定できる位置に設けられればよく、一方の基部３１０ａ及び他方の基部３１０ｂの他端に限定されない。
【００８３】
また、上記実施形態に係るフレーム金具３は、一方の基部３１０ａ及び他方の基部３１０ｂを帯板上に限らず、様々な形状で構成することが可能である。
【００８４】
また、上記実施形態に係るフレーム金具３は、必ずしもフレーム４のような枠体や環体として利用されずともよい。例えば、シート状部材２の一端が壁等の固定手段に固定されている状態で、他端のみに対してフレーム金具３を用いたとしても、シート状部材２に張力を均等に作用させることができる。
【符号の説明】
【００８５】
１…防煙垂壁、２…シート状部材、３…フレーム金具、３０…本体部、３１０ａ，３１０ｂ…基部、３１１ａ，３１１ｂ…突出部、３１２ａ，３１２ｂ…組合部、３１３ａ，３１３ｂ…第１傾斜部、３１４ａ，３１４ｂ…第２傾斜部、３１５ａ，３１５ｂ…突合せ部、３１６…枢結部、３１７ａ，３１７ｂ…突片、３１８…嵌合部、３１９…軸部
【図１】
0005589048.tif 000002
【図２】
0005589048.tif 000003
【図３】
0005589048.tif 000004
【図４】
0005589048.tif 000005
【図５】
0005589048.tif 000006
【図６】
0005589048.tif 000007
【図７】
0005589048.tif 000008
【図８】
0005589048.tif 000009
【図９】
0005589048.tif 000010
【図１０】
0005589048.tif 000011
【図１１】
0005589048.tif 000012
【図１２】
0005589048.tif 000013
【図１３】
0005589048.tif 000014